(57)【要約】【課題】  夜中に目的の場所まで安全に歩行できる。【解決手段】  建物内部に設けられるチェアレール１ａであって、このチェアレール１ａの長手方向４９に沿って複数間隔をあけて並べて設けられる発光ダイオード４１を有し、この発光ダイオード４１から発する光が直接見えないようにする遮蔽部３を設ける。このようにすることにより、チェアレール１ａは、その長手方向に沿って複数間隔をあけて設けられる発光ダイオード４１を有するので、この発光ダイオード４１の光により建物内部が照明される。この際、発光ダイオード４１から発する光は遮蔽部３により妨げられるので、夜中に起きて目的場所に移動するときにも眩しさがなくなり安全に歩行することができる。【選択図】              図１
2006118206.tif 000002
【特許請求の範囲】
【請求項１】
建物内部に設けられるチェアレールまたは幅木であって、該チェアレールまたは幅木の長手方向に沿って連続的にまたは不連続的に設けられる発光体を有し、該発光体から発する光が直接見えないようにする遮蔽部を設けてなるチェアレールまたは幅木。
【発明の詳細な説明】
【技術分野】
【０００１】
本発明は、建物内部に設けられるチェアレールまたは幅木に係り、特に照明を行うことができるチェアレールまたは幅木に関する。
【背景技術】
【０００２】
従来、建物内部に設けられるチェアレールまたは幅木、たとえば幅木は壁と床との交差する隅に設けられて、施工時の壁または床の端部分を隠す手段として用いられ、また建物内部における装飾的目的で設けられる。従来、幅木自体には照明機能がないので、部屋を歩行するときに、特に夜中に起きて目的の場所に移動するときに室内の照明器を点灯させることになる。しかしながら、夜中に急に照明器を点灯することは明る過ぎて、この明るさに慣れるまではしばらくの間歩行しにくい。また、就寝中の人にも迷惑をかけることになる。
【０００３】
そこで、チェアレールまたは幅木に比較的弱い光を放つ照明装置を付与させたものが知られている。たとえば幅木の周胴面に長手方向に沿って発光体を埋設したもの（特許文献１）や透明チューブ内に相互に間隔を保って複数個の小型発光体を接続配設してなる長尺の照明管を幅木に配設したもの（特許文献２）などである。
【特許文献１】実開昭５４−１２１６２１号公報
【特許文献２】実開昭６０−２６１２８号公報
【発明の開示】
【発明が解決しようとする課題】
【０００４】
しかし、上記照明機能を付与させた幅木は、発光体から発する光が部屋内を歩行する者の目に直接入るものであるので、特に夜中に起きた者にとって依然として眩しく、不快な感じを与える。また、しばらく時間がたつまで足元が見えにくいので歩行上危険を伴うものであった。
【０００５】
本発明の課題は、夜中に目的の場所まで安全に歩行できることである。
【課題を解決するための手段】
【０００６】
上記課題を解決するため本発明は、建物内部に設けられるチェアレールまたは幅木であって、該チェアレールまたは幅木の長手方向に沿って連続的にまたは不連続的に設けられる発光体を有し、該発光体から発する光が直接見えないようにする遮蔽部を設けてなることを特徴とする。
【０００７】
このようにすることにより、建物内部に設けられるチェアレールまたは幅木は、その長手方向に沿って連続的にまたは不連続的に設けられる発光体を有するので、この発光体の光により足元が照射または照明される。この際、発光体から発する光は遮蔽部により部屋や階段などの建物内部を歩行する者の目に直接入らないように妨げられるので、歩行者が目的の場所に移動するときに眩しさがなくなり安全に歩行することができる。
【０００８】
次に本発明を構成する各要件についてさらに詳しく説明する。チェアレールまたは幅木は、建物内部に設けられる一般的なもので、本体と照明装置または本体とその表面露出部分を覆うカバーおよび照明装置から形成される。チェアレールまたは幅木の遮蔽部は、チェアレールまたは幅木に設けた光不透過の部分で、特に突起や覆いなどを設けて積極的に遮蔽する方が良い。突起や覆いは、チェアレールまたは幅木の一部を突出させたものや別体のものを取り付けることにより形成される。
【０００９】
本体は、無垢の木材、合板、集成材、単板積層材（ＬＶＬ）、木質繊維板（ＭＤＦなど）、パーティクルボードなどの木質系材料、硬質塩化ビニル樹脂、ＡＢＳ樹脂などの各種合成樹脂材料、ステンレス、アルミニウムなどの金属系材料などを使用できる。
【００１０】
カバーは、無垢の木材、合板、集成材、単板積層材、木質繊維板などの木質系材料、硬質塩化ビニール樹脂、軟質塩化ビニール樹脂、ＡＢＳ樹脂などの合成樹脂系材料、ステンレス、アルミニウムなどの金属系材料などを使用できる。
【００１１】
本体のみでチェアレールまたは幅木が形成される場合または本体とカバーでチェアレールまたは幅木が形成される場合、露出面は、化粧シートを貼着するか各種模様を印刷するなどの任意化粧面とすることができる。化粧シートとしては、天然突板、人工突板、不織布、紙、オレフィン樹脂、塩化ビニル樹脂、ポリエステル樹脂、アクリル樹脂その他の合成樹脂などで、これらを本体またはカバーの露出面に貼着することにより使用できる。
【００１２】
照明装置は、発光体と、この発光体に電気を供給する電線およびこの前に配置するレンズとを有する。発光体としてそれ自体自然発光する自然発光体であれば、この自然発光体と、この前に配置するレンズとを備えれば良い。
【００１３】
発光体は、チェアレールまたは幅木の長手方向に沿って連続的にまたは不連続的に設けられる。発光体が連続的に設けられる場合は、発光体の形状が棒状、面状で発光体全体にわたって発光するものである。このような発光体の例としてはＥＬランプがある。発光体が不連続的に設けられる場合は、単体の光源を複数、間隔をあけて並べて設けたものである。このような例としては、白熱灯、蛍光灯、水銀灯、ＬＥＤなどの発光ダイオードや光ファイバーなどである。
【００１４】
発光体が下方を照射する場合は、光軸を壁から離れるように外側に向けると良い。こうすると建物の床の広い範囲を照射できる。発光体が上方を照射する場合は、光軸を壁の方向に向けると良い。こうすると光が壁や天井に照射され、その反射光により部屋を間接的に明るくする。
【００１５】
発光体が上方を照射する場合、遮蔽部の形状と大きさは次のように設定される。すなわち、歩行者の目に発光体の光が入らないようにするためには、歩行者の目の位置と発光体とを結ぶ線の壁に対する傾斜角θに対して、遮蔽部の内側面の傾斜角度αが小さいことが必要がある。さらに、発光体の位置が遮蔽部から離れる（壁側に近づく）ほど、遮蔽部の先端位置を高くする必要がある。これから遮蔽部の形状と大きさは、遮蔽部の内側面の傾斜角度αを傾斜角θより小さくし、かつ遮蔽部の内側面先端が傾斜角θの傾斜面上または突き出ることが必要である。
【発明の効果】
【００１６】
本発明によれば、発光体から発する光が直接見えないので夜中に起きて目的の場所まで移動するときに眩しくなく安全に歩行できる。
【発明を実施するための最良の形態】
【００１７】
以下、本発明に係るチェアレールまたは幅木の実施例を図面とともに詳細に説明する。なお、図１〜６において、同一または同等部分には同一符号を付けて示す。
【実施例１】
【００１８】
図１は、本発明の実施例１を示し、チェアレールの場合の断面図である。チェアレール１ａは、腰壁５２の一部として設けられる。腰壁５２は、チェアレール１ａの他に腰壁部材５３および幅木２１ａを有する。幅木２１ａは、壁５１と床５５とが交差する隅に設けられる。
【００１９】
図２は、図１に示すチェアレール１ａの拡大断面図である。図３は、図１に示すチェアレールのカバー１３を除いた状態の正面図である。図２に示すように、チェアレール１ａは、本体４と、この本体の露出面を略覆うカバー１３と、本体４に内蔵される照明装置４０とを有する。
【００２０】
本体４は、断面略矩形の縦長状板で、下部表面側に遮蔽部３の芯となる突起５と、長手方向４９（図３に表示）に延在する装飾溝６および電線４４を配設する電線溝７とを有する。さらに、本体の上部裏側にはカバー１３の上側片に係合する係合溝９が形成される。本体４の材質は、たとえばＭＤＦなどの木質系材料である。
【００２１】
カバー１３は、チェアレールの本体４の略全露出面を覆うが、本体４に対して下側係合部１４ａと、上側係合部１４ｂとにより固定される。下側係合部１４ａは本体の突起５に、上側係合部１４ｂは本体の係合溝９に、それぞれ係合する。さらに、カバーの上下方向中間には先に記載した本体の装飾溝６に嵌合する嵌合部１５が形成される。カバー１３の材質は、たとえば塩化ビニール樹脂などの合成樹脂系材料である。
【００２２】
照明装置４０は、発光ダイオード４１と、この発光ダイオード４１に電気を供給する電線４４およびこの前に配置されるレンズ４６とを有する。発光ダイオード４１は電線４４に対してリード線４３により配線される。発光ダイオード４１とレンズ４６の光軸４７は一致させて下方を照射するようにする。この場合、その光軸４７は壁５１から離れるように外側に向く。さらに、レンズ４６の先端位置を本体の下端面１０と面一またはこれより凹ませると良い。こうすると遮蔽部３を突出させなくても、本体下端面の表面側が遮蔽の機能を有し遮蔽部となる。
【００２３】
図３に示すように、発光ダイオード４１は、チェアレールの長手方向４９に沿って間欠的（不連続的）に設けられ、単体のＬＥＤ光源を複数、間隔をあけて並べて設けたものである。これに対応してレンズ４６も複数、間隔をあけて並べて設けられる。発光ダイオード４１およびレンズ４６の光軸４７は、電線溝７に直交する方向に向けられ、本体の下端面１０に開口する孔１１内に装備される。
【００２４】
以上の構造を有する実施例１のチェアレール１ａは、次のように作用する。すなわち、図１において、チェアレール１ａの長手方向に沿って発光ダイオード４１が適宜の間隔で設けられるので、この発光ダイオード４１の光により足元の床５５が照明される。この際、発光ダイオード４１の光軸は下方に向き、かつ発光ダイオード４１から発する光は遮蔽部３により確実に遮断され、部屋や階段などの建物内部を歩行する者の目に直接入らないように妨げられるので、歩行者が目的の場所に移動するときに眩しさがなくなり安全に歩行することができる。
【実施例２】
【００２５】
図４は、本発明の実施例２を示し、幅木２１ａの場合の断面図である。この幅木２１ａは、壁５１と床５５との交差する隅に設けられる。幅木２１ａは、先のチェアレール１ａと同様に、本体２４と、この本体２４の露出面を略覆うカバー１３と、本体２４に内蔵される照明装置４０とを有する。
【００２６】
本体２４は、断面略矩形の縦長状板で、上部表面側に遮蔽部２３の芯となる突起２５と、長手方向（図４に垂直な方向）に延在し電線４４を配設する電線溝２７とを有する。さらに、本体の下端面にはカバー１３の下側片に係合する係合溝２９が形成される。本体２４の材質は、たとえばＭＤＦなどの木質系材料である。
【００２７】
カバー１３は、幅木の本体２４の略全露出面を覆うが、本体２４に対して下側係合部３４ａと、上側係合部３４ｂとにより固定され、下側係合部３４ａは本体の係合溝２９に、上側係合部３４ｂは本体の突起２５に、それぞれ係合する。カバー１３の材質は、たとえば塩化ビニール樹脂などの合成樹脂系材料である。
【００２８】
照明装置４０は、発光ダイオード４１と、この発光ダイオード４１に電気を供給する電線４４および発光ダイオードの前に配置されるレンズ４６とを有する。発光ダイオード４１は電線４４に対してリード線４３により配線される。発光ダイオード４１とレンズ４６の光軸４７は一致し、壁５１側に傾斜した上方向を照射するように向けられる。
【００２９】
図４に示すように発光ダイオード４１が上方を照射する場合、遮蔽部２３の形状と大きさは次のように設定される。すなわち、歩行者の目５９に発光ダイオード４１の光が入らないようにするためには、歩行者の目５９の位置と発光ダイオード４１とを結ぶ線４８の壁５１に対する傾斜角θに対して、遮蔽部２３の内側面の傾斜角度αが小さいことが必要がある。さらに、発光ダイオード４１の位置が遮蔽部２３から離れる（壁５１側に近づく）ほど、遮蔽部２３の先端位置を高くする必要がある。これから遮蔽部２３の形状と大きさは、遮蔽部２３の内側面の傾斜角度αを傾斜角θより小さくし、かつ遮蔽部２３の内側面先端が傾斜角θの傾斜面から上に突き出ることが必要である。このようにすることにより発光ダイオード４１の光が目に直接入らないようにすることができる。
【００３０】
因みに、歩行者の目の位置を、図４に示すように、壁５１から２００ｍｍ離れ、発光ダイオード４１の中心から１５００ｍｍの高さにあるとすれば、歩行者の目５９と発光ダイオード４１とを結ぶ線４８の壁５１に対する傾斜角θは、ｔａｎθ＝（２００／１５００）＝０．１３３３３から７°３６´となる。これから遮蔽部２３の内側面の傾斜角度αは少なくとも７°３６´より小さくし、かつ遮蔽部２３の内側面の先端を傾斜角θの傾斜面から上に突き出るようにすると良い。
【００３１】
実施例２の幅木２１ａは、次のように作用する。すなわち、図４において、幅木２１ａの長手方向に沿って発光ダイオード４１が適宜の間隔で設けられるので、この発光ダイオード４１の光により壁５１および図示していない天井が間接的に照明される。この際、発光ダイオード４１から発する光は、上端面３０の開口部から照射されるが、光が遮蔽部２３により遮断される。そして光は直接目には入らないようになるので眩しさが軽減され、夜中に起きて目的場所に安全に歩行することができる。図４におけるその他の構造と作用は、図１〜３に示した実施例１のチェアレール１ａの場合と同じであるので、その説明を省略する。
【実施例３】
【００３２】
図５は、本発明の実施例３を示し、チェアレール１ｂの場合の断面図である。このチェアレール１ｂは、本体４の正面木口１２に照明の開口部１２ａが設けられる。発光ダイオード４１の光軸４７はこの開口部１２ａを介して下方に向き、床５５に光が照射される。電線溝７はチェアレール１ｂの長手方向に延在する。また、孔１１は電線溝７に直交し、かつ電線溝７から正面木口１２まで貫通する。さらに、実施例３のチェアレール１ｂにおいては、レンズ４６の先端位置が孔１１の中にあるので、本体の正面木口１２側が遮蔽部３となる。なお、本体４の露出面には図示していない化粧シートが貼着される。
【００３３】
実施例３のチェアレール１ｂは、光が正面木口の開口部１２ａから下方に照射される構造であるので、発光ダイオード４１の光が直接目に入らず、眩しくなく安全に歩行できる。また、照明装置４０を内蔵する空間の自由度が大きく、光軸４７の照射角度の自由度も大きくなる。図５におけるその他の構造と作用は、図１〜３に示した実施例１のチェアレール１ａの場合と同じであるので、その説明を省略する。
【実施例４】
【００３４】
図６は、本発明の実施例４を示し、幅木２１ｂの場合の断面図である。この幅木２１ｂは、本体２４の正面木口３２に照明の開口部３２ａが設けられる。電線溝２７は幅木２１ｂの長手方向に延在する。また、孔３１は電線溝２７に対して直交する方向に形成され、電線溝２７から正面木口３２まで貫通する。さらに、実施例４の幅木２１ｂにおいては、レンズ４６の先端位置が孔３１の中にあるので、本体の正面木口３２側が遮蔽部２３となる。なお、本体２４の露出面には図示していない化粧シートが貼着される。
【００３５】
実施例４の幅木２１ｂは、正面木口３２に設けた開口部３２ａを介して発光ダイオードの光軸４７が下方に向き、床５５に光が照射される。このようにすることにより発光ダイオード４１の光が直接目に入らず、眩しくなく安全に歩行できる。また、照明装置４０を内蔵する空間の自由度が大きく、光軸４７の照射角度の自由度も大きくなる。図６におけるその他の構造と作用は、図４に示した実施例２の幅木２１ａの場合と同じであるので、その説明を省略する。
【００３６】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３７】
本発明のチェアレールまたは幅木は、個別住宅や集合住宅、その他の建物に利用可能である。
【図面の簡単な説明】
【００３８】
【図１】本発明の実施例１を示し、チェアレールの場合の断面図である。
【図２】図１に示すチェアレールの拡大断面図である。
【図３】図１に示すチェアレールのカバーを除いた状態の正面図である。
【図４】本発明の実施例２を示し、幅木の場合の断面図である。
【図５】本発明の実施例３を示し、チェアレールの場合の断面図である。
【図６】本発明の実施例４を示し、幅木の場合の断面図である。
【符号の説明】
【００３９】
１ａ、１ｂ  チェアレール
３  遮蔽部
４  本体
１３  カバー
２１ａ、２１ｂ  幅木
２３  遮蔽部
２４  本体
３３  カバー
４０  照明装置
４１  発光ダイオードまたはＬＥＤ（発光体）
４４  電線
４６  レンズ
４９  長手方向
【図１】
2006118206.tif 000003
【図２】
2006118206.tif 000004
【図３】
2006118206.tif 000005
【図４】
2006118206.tif 000006
【図５】
2006118206.tif 000007
【図６】
2006118206.tif 000008